(57)【要約】【課題】  低年齢の子供にとっても安全性が高く、１個の縫いぐるみのみで見猿、言わ猿、聞か猿のポーズが可能であり、縫いぐるみ玩具が持つソフトな感触を保ちつつ愛嬌のある猿の縫いぐるみ玩具を提供することを目的とする。【解決手段】  ポーズ可変な猿の縫いぐるみ玩具において、縫いぐるみ玩具の両手先と、額、上唇、両耳に対応する部分の縫いぐるみ玩具内部に永久磁石を埋め込み、両手先を額に位置させ両目を両手先で覆い見猿のポーズを可能とし、両手先を上唇に位置させ口を両手先で覆い言わ猿のポーズを可能とし、両手先を両耳に位置させ両手先で両耳を覆い聞か猿のポーズを可能とすることを特徴とする。【選択図】  図１
0003103342.tif 000002
【実用新案登録請求の範囲】
【請求項１】
猿の形状をした縫いぐるみ玩具であって、前記縫いぐるみ玩具の両手先と、額、上唇、両耳に対応する部分の縫いぐるみ玩具内部に永久磁石を埋め込み、両手先を額に位置させ両目を両手先で覆い見猿のポーズを可能とし、両手先を上唇に位置させ口を両手先で覆い言わ猿のポーズを可能とし、両手先を両耳に位置させ両手先で両耳を覆い聞か猿のポーズを可能とすることを特徴とするポーズ可変な猿の縫いぐるみ玩具。
【請求項２】
両手先、額、上唇、両耳のそれぞれ１個の永久磁石を埋め込み、額と上唇に埋め込まれる永久磁石の吸着面積を、両手先、両耳に埋め込まれる永久磁石の吸着面積より大きくすることを特徴とする請求項１に記載のポーズ可変な猿の縫いぐるみ玩具。
【請求項３】
両手先、額、上唇、両耳に埋め込まれる永久磁石は、クッション材を介して袋体に収容し夫々の部分に固着手段を介して固着することを特徴とする請求項１又は２に記載のポーズ可変な猿の縫いぐるみ玩具。
【考案の詳細な説明】
【技術分野】
【０００１】
本考案は、ポーズ可変な猿の縫いぐるみ玩具に関する。
【背景技術】
【０００２】
ポーズ可変な縫いぐるみ玩具として、実開昭６２−４２８８３号公報、実公平２−４７９９５号公報には、動物の形状を模した縫いぐるみ本体内の胴部、両腕部、両脚部に屈曲可能な金属製材料で形成される心材を配置することにより、ポーズを可変とした縫いぐるみ玩具が開示されている。
また、日光東照宮の彫刻として有名な見猿、言わ猿、聞か猿を模して、目を両手で覆ったポーズをした猿の固定人形、口を両手で覆ったポーズをした猿の固定人形、耳を両手で覆ったポーズをした猿の固定人形の３個の固定人形を一緒に配列して見猿、言わ猿、聞か猿の３つのポーズを表現した玩具又は置物がよく知られている。
【特許文献１】実開昭６２−４２８８３号公報
【特許文献２】実公平２−４７９９５号公報
【考案の開示】
【考案が解決しようとする課題】
【０００３】
しかしながら、縫いぐるみ本体内に屈曲可能な金属製材料を心材として配置しポーズ可変としたものは、心材として縫いぐるみを構成する材料に較べて硬い金属製の材料が用いられるため、縫いぐるみ本体から心材の端部が飛び出す恐れがあり、縫いぐるみ玩具と遊ぶ幼児や低年齢の子供にとって危険性が高いものであった。また、縫いぐるみ内部に硬い金属製の心材が配置されているので、縫いぐるみを抱きしめる時に感じる感触が、縫いぐるみ玩具が本来持つソフトな感触が失われ、ごつごつした感触となる問題を有するものであった。
また、３個の猿の固定人形を配列した見猿、言わ猿、聞か猿は、３つのポーズを表現するのに３個の猿の人形が必要であり、日光東照宮の彫刻を模したものの過ぎず、面白みがなく、直ぐ飽きがくるという問題を有するものであった。
【０００４】
本考案は、前記従来技術の持つ課題を解消し、幼児や低年齢の子供にとって安全性が高く、１個の縫いぐるみのみで見猿、言わ猿、聞か猿のポーズが可能であり、縫いぐるみ玩具が持つソフトな感触を保ちつつ誰にでも愛される愛嬌のある猿の縫いぐるみ玩具を提供することを目的とする。
【課題を解決するための手段】
【０００５】
本第１考案は、ポーズ可変な猿の縫いぐるみ玩具において、縫いぐるみ玩具の両手先と、額、上唇、両耳に対応する部分の縫いぐるみ玩具内部に永久磁石を埋め込み、両手先を額に位置させ両目を両手先で覆い見猿のポーズを可能とし、両手先を上唇に位置させ口を両手先で覆い言わ猿のポーズを可能とし、両手先を両耳に位置させ両手先で両耳を覆い聞か猿のポーズを可能とすることを特徴とする。
【０００６】
本第２考案は、本第１考案のポーズ可変な猿の縫いぐるみ玩具において、両手先、額、上唇、両耳のそれぞれに１個の永久磁石を埋め込み、額と上唇に埋め込まれる永久磁石の吸着面積を、両手先、両耳に埋め込まれる永久磁石の吸着面積より大きくすることを特徴とする。
【０００７】
本第３考案は、本第１又は第２考案のポーズ可変な猿の縫いぐるみ玩具において、両手先、額、上唇、両耳に埋め込まれる永久磁石は、クッション材を介して袋体に収容し夫々の部分に固着手段を介して固着することを特徴とする。
【考案の効果】
【０００８】
本考案の縫いぐるみ玩具の両手先と、額、上唇、両耳に対応する部分の縫いぐるみ玩具内部に永久磁石を埋め込む構成により、両手先を額に位置させ両目を両手先で覆い見猿のポーズを可能とし、両手先を上唇に位置させ口を両手先で覆い言わ猿のポーズを可能とし、両手先を両耳に位置させ両手先で両耳を覆い聞か猿のポーズを可能とし、１個の猿の縫いぐるみで見猿、言わ猿、聞か猿のポーズを表現でき、幼児及び低年齢の子供に対して安全性が高く、誰からも愛される愛嬌のある猿の縫いぐるみ玩具を提供できる。
両手先、額、上唇、両耳のそれぞれに１個の永久磁石を埋め込み、額と上唇に埋め込まれる永久磁石の吸着面積を、両手先、両耳に埋め込まれる永久磁石の吸着面積より大きくする構成により、両手先で両目、口を覆う際、１個の磁石で両手先の磁石を吸着でき、かつ、額と上唇に両手先に対応する２個の永久磁石を埋め込んだ場合、埋め込まれる２個の永久磁石間の距離が短いため２個の永久磁石が吸着或いは反発することにより縫いぐるみ表面の表情を変化させる恐れがあるが、１個の表面積の大きい永久磁石を埋め込み固定するのでそのような問題が発生しない。
両手先、額、上唇、両耳に埋め込まれる永久磁石は、クッション材を介して袋体に収容し夫々の部分に接着剤等の固着手段を介して固着する構成により、埋め込まれる永久磁石の位置が移動することがなく、また、縫いぐるみ表面に硬い永久磁石の感触が残らず、縫いぐるみ本来のソフト感触を損なうことがない。
【考案を実施するための最良の形態】
【０００９】
本考案の実施の形態を図により説明する。図１において、ポーズ可変な猿の縫いぐるみ玩具１は、布製の外皮内にやわらかい材料の詰め物をして形成される猿の形状を模した縫いぐるみ本体２を有する。縫いぐるみ本体２の両手先の部分には、手用永久磁石３が埋め込まれ、額の部分には額用永久磁石４が埋め込まれ、上唇の部分には上唇用永久磁石５が埋め込まれ、両耳には耳用永久磁石６が埋め込まれる。額用永久磁石４と上唇用永久磁石５を埋め込むのは、目と口の部分に直接永久磁石を埋め込むと、縫いぐるみの表情を決定する目と口の部分の表面が永久磁石の埋め込みによる影響を受けるためである。それぞれの永久磁石は、クッション材を介して布製又は紙製の袋体に収容され、永久磁石を収容した袋体を布製の外皮の内側に接着剤等の固着手段を介して固着する。額用永久磁石４及び上唇用永久磁石５は、その吸着面積が、手用永久磁石３及び耳用永久磁石６の吸着面積よりも大きくする。そのように構成することにより吸着面積の大きい１個の額用永久磁石４と１個の上唇用永久磁石５に、両手先の２個の手用永久磁石３が吸着し、両手先で目及び口を覆うポーズが可能となる。額と上唇に両手先に対応する２個の永久磁石を埋め込むと、埋め込まれる２個の永久磁石間の距離が短いため、永久磁石同士が吸着或いは反発し、縫いぐるみの表情に影響する目元、口元の表面を変形させる恐れがあるためである。  
【００１０】
図２は、両手先を額に位置させ、両手先の手用永久磁石３と額の額用永久磁石４とを吸着させ、両手先で両目を覆い、見猿のポーズをとった状態を示すものである。
【００１１】
図３は、両手先を上唇に位置させ、両手先の手用永久磁石３と上唇の上唇用永久磁石５とを吸着させ、両手先で口を覆い、言わ猿のポーズをとった状態を示すものである。
【００１２】
図４は、両手先を両耳に位置させ、両手先の手用永久磁石３と両耳の耳用永久磁石６とを吸着させ、両手先で両耳を覆い、聞か猿のポーズをとった状態を示すものである。
【図面の簡単な説明】
【００１３】
【図１】本考案の一実施形態を示す図である。
【図２】本考案の一実施形態を示す図である。
【図３】本考案の一実施形態を示す図である。
【図４】本考案の一実施形態を示す図である。
【符号の説明】
【００１４】
１：ポーズ可変な猿の縫いぐるみ玩具
２：縫いぐるみ本体
３：手用永久磁石
４：額用永久磁石
５：上唇用永久磁石
６：耳用永久磁石
【図１】
0003103342.tif 000003
【図２】
0003103342.tif 000004
【図３】
0003103342.tif 000005
【図４】
0003103342.tif 000006